(57)【特許請求の範囲】
【請求項１】
磁界信号を受信する受信手段と、
情報を記憶する記憶手段と、
前記受信手段により受信された前記磁界信号に含まれる情報を処理して前記記憶手段に記憶させるか、若しくは、前記記憶手段から情報を読み出して処理する情報処理手段と、
前記受信手段近傍において発生する磁界変化を検出する検出手段と、
前記検出手段の検出結果が予め定められた磁界変化の大きさに関する所定の条件を満たすか否かを判定する条件判定手段と、
前記条件判定手段による判定結果に基づいて前記情報処理手段の接続先を切り替える切り替え部を制御する切り替え制御手段と、
前記情報処理手段を介して、前記記憶手段に記憶されている情報を表示のために読み出す読み出し手段と
を備え、
前記切り替え制御手段は、前記条件判定手段により前記検出結果が前記条件を満たすと判定された場合、前記切り替え部を制御して前記情報処理手段を前記受信手段に代えて前記読み出し手段に接続させる
情報処理装置。
【請求項２】
前記条件は、前記検出結果において、検出された前記磁界変化の大きさが、所定の閾値以上となり、その後、前記閾値より小さくなることである
請求項１に記載の情報処理装置。
【請求項３】
前記条件は、前記検出結果において、検出された前記磁界変化の大きさが、所定の閾値以上となり、所定の時間が経過した後、前記閾値より小さくなることである
請求項１に記載の情報処理装置。
【請求項４】
情報を保持する保持手段と、
前記保持手段に保持されている情報を、前記読み出し手段により前記情報処理手段を介して前記記憶手段から読み出された前記情報を用いて更新する保持情報更新手段と、
画像情報を表示する表示手段と、
前記保持手段により保持されている前記情報を用いて、前記表示手段により表示させる前記画像情報を更新する表示更新手段と
をさらに備える請求項１に記載の情報処理装置。
【請求項５】
時間を計測する計時手段をさらに備え、
前記切り替え制御手段は、前記条件判定手段により前記検出結果が前記条件を満たすと判定された場合、前記切り替え部を制御して前記情報処理手段を、前記受信手段に代えて、前記読み出し手段に接続させ、前記計時手段によりさらに所定の時間が経過したと判定されたとき、前記切り替え部を制御して前記情報処理手段を、前記読み出し手段に代えて、前記受信手段に接続させる
請求項１に記載の情報処理装置。
【請求項６】
前記検出手段の検出結果に基づいて、前記受信手段近傍において前記磁界変化が発生したか否かを判定する磁界変化判定手段をさらに備え、
前記切り替え制御手段は、さらに、前記磁界変化判定手段により前記受信手段近傍において前記磁界変化が発生したと判定された場合、前記切り替え部を制御して前記情報処理手段を、前記読み出し手段に代えて、前記受信手段に接続させる
請求項１に記載の情報処理装置。
【請求項７】
磁界信号を受信する受信手段と、
情報を記憶する記憶手段と、
前記受信手段により受信された前記磁界信号に含まれる情報を処理して前記記憶手段に記憶させるか、若しくは、前記記憶手段から情報を読み出して処理する情報処理手段と、
検出手段と、
条件判定手段と、
切り替え制御手段と、
読み出し手段と
を備える情報処理装置の情報処理方法であって、
前記検出手段は、前記受信手段近傍において発生する磁界変化を検出し、
前記条件判定手段は、前記検出手段の検出結果が予め定められた磁界変化の大きさに関する所定の条件を満たすか否かを判定し、
前記切り替え制御手段は、前記条件判定手段により前記検出結果が前記条件を満たすと判定された場合、前記情報処理手段の接続先を切り替える切り替え部を制御して前記情報処理手段を前記受信手段に代えて前記読み出し手段に接続させ、
前記読み出し手段は、前記情報処理手段を介して、前記記憶手段に記憶されている情報を表示のために読み出す
情報処理方法。
【請求項８】
他のデバイスより送信された磁界信号を受信するアンテナと、情報を記憶するメモリと、前記アンテナを介して受信された前記磁界信号に含まれる情報を処理して前記メモリに記憶させるか、若しくは、前記メモリから情報を読み出して処理する情報処理部と、情報を表示する表示デバイスを備える非接触ICカードデバイスであって、
前記アンテナ近傍において発生する磁界変化を検出する検出手段と、
前記検出手段による検出結果が予め定められた磁界変化の大きさに関する所定の条件を満たすか否かを判定する条件判定手段と、
前記条件判定手段による判定結果に基づいて前記メモリの接続先を切り替える電子スイッチを制御し、前記検出結果が前記条件を満たすと判定された場合、前記電子スイッチを介して前記アンテナに接続されていた前記情報処理部を、前記アンテナから切り離させる切り替え制御手段と、
前記切り替え制御手段の制御により前記情報処理部が前記アンテナから切り離された状態において、前記情報処理部を介して前記メモリに記憶されている情報を読み出して前記表示デバイスに表示させる表示制御手段と
を備える非接触ICカードデバイス。
【発明の詳細な説明】
【技術分野】
【０００１】
本発明は、情報処理装置および方法、並びに、非接触ICカードデバイスに関し、特に、消費電力を低減させることができるようにした情報処理装置および方法、並びに、非接触ICカードデバイスに関する。
【背景技術】
【０００２】
従来、集積回路（ICチップ）とアンテナを内蔵し、リーダライタ等の他のデバイスと近距離無線通信を行う非接触ICカードが存在する。この非接触ICカードは、小型で携帯性が良好であり、またICチップを用いているので信頼性も高く、例えばIDカード、クレジットカード、ポイントカード等のように、認証や決済を目的として利用される場合が多い。
【０００３】
近年においては、この非接触ICカードの表面に小型の表示デバイスを設け、ICチップが保持している情報、例えば、ID情報、残高情報、または履歴情報等をその表示デバイスに表示させるようにし、カードの利便性を向上させることも考えられている（例えば、特許文献１参照）。
【０００４】
このとき、内部に電源として電池を設けることにより、非接触ICカードは、ユーザの操作に応じて、任意のタイミングでICチップ内のメモリに記憶されている情報を表示デバイスに表示させることができる。つまり、非接触ICカードは、任意のタイミングで表示デバイスの表示内容を更新することができる。
【０００５】
【特許文献１】特開２００３−２０８５８２号公報
【発明の開示】
【発明が解決しようとする課題】
【０００６】
しかしながら、ユーザの操作に応じて表示内容を更新させても、メモリが記憶する情報が更新されていなければ表示内容は変更されないので、不要な更新処理となる恐れがあった。このような不要な更新処理により、消費電力を増大させ、電池の駆動可能時間を低減させてしまう恐れがあった。
【０００７】
本発明は、このような従来の実情に鑑みて提案されたものであり、表示機能付きデバイスにおいて、不要な表示内容更新処理による消費電力の増大を抑制することができるようにするものである。
【課題を解決するための手段】
【０００８】
本発明の第１の側面は、磁界信号を受信する受信手段と、情報を記憶する記憶手段と、前記受信手段により受信された前記磁界信号に含まれる情報を処理して前記記憶手段に記憶させるか、若しくは、前記記憶手段から情報を読み出して処理する情報処理手段と、前記受信手段近傍において発生する磁界変化を検出する検出手段と、前記検出手段の検出結果が予め定められた磁界変化の大きさに関する所定の条件を満たすか否かを判定する条件判定手段と、前記条件判定手段による判定結果に基づいて前記情報処理手段の接続先を切り替える切り替え部を制御する切り替え制御手段と、前記情報処理手段を介して、前記記憶手段に記憶されている情報を表示のために読み出す読み出し手段とを備え、前記切り替え制御手段は、前記条件判定手段により前記検出結果が前記条件を満たすと判定された場合、前記切り替え部を制御して前記情報処理手段を前記受信手段に代えて前記読み出し手段に接続させる情報処理装置である。
【０００９】
前記条件は、前記検出結果において、検出された前記磁界変化の大きさが、所定の閾値以上となり、その後、前記閾値より小さくなることであるようにすることができる。
【００１０】
前記条件は、前記検出結果において、検出された前記磁界変化の大きさが、所定の閾値以上となり、所定の時間が経過した後、前記閾値より小さくなることであるようにすることができる。
【００１１】
情報を保持する保持手段と、前記保持手段に保持されている情報を、前記読み出し手段により前記情報処理手段を介して前記記憶手段から読み出された前記情報を用いて更新する保持情報更新手段と、画像情報を表示する表示手段と、前記保持手段により保持されている前記情報を用いて、前記表示手段により表示させる前記画像情報を更新する表示更新手段とをさらに備えることができる。
【００１３】
時間を計測する計時手段をさらに備え、前記切り替え制御手段は、前記条件判定手段により前記検出結果が前記条件を満たすと判定された場合、前記切り替え部を制御して前記情報処理手段を、前記受信手段に代えて、前記読み出し手段に接続させ、前記計時手段によりさらに所定の時間が経過したと判定されたとき、前記切り替え部を制御して前記情報処理手段を、前記読み出し手段に代えて、前記受信手段に接続させることができる。
【００１４】
前記検出手段の検出結果に基づいて、前記受信手段近傍において前記磁界変化が発生したか否かを判定する磁界変化判定手段をさらに備え、前記切り替え制御手段は、さらに、前記磁界変化判定手段により前記受信手段近傍において前記磁界変化が発生したと判定された場合、前記切り替え部を制御して前記情報処理手段を、前記読み出し手段に代えて、前記受信手段に接続させることができる。
【００１５】
本発明の第１の側面は、また、磁界信号を受信する受信手段と、情報を記憶する記憶手段と、前記受信手段により受信された前記磁界信号に含まれる情報を処理して前記記憶手段に記憶させるか、若しくは、前記記憶手段から情報を読み出して処理する情報処理手段と、検出手段と、条件判定手段と、切り替え制御手段と、読み出し手段とを備える情報処理装置の情報処理方法であって、前記検出手段は、前記受信手段近傍において発生する磁界変化を検出し、前記条件判定手段は、前記検出手段の検出結果が予め定められた磁界変化の大きさに関する所定の条件を満たすか否かを判定し、前記切り替え制御手段は、前記条件判定手段により前記検出結果が前記条件を満たすと判定された場合、前記情報処理手段の接続先を切り替える切り替え部を制御して前記情報処理手段を前記受信手段に代えて前記読み出し手段に接続させ、前記読み出し手段は、前記情報処理手段を介して、前記記憶手段に記憶されている情報を表示のために読み出す情報処理方法である。
【００１６】
本発明の第２の側面は、他のデバイスより送信された磁界信号を受信するアンテナと、情報を記憶するメモリと、前記アンテナを介して受信された前記磁界信号に含まれる情報を処理して前記メモリに記憶させるか、若しくは、前記メモリから情報を読み出して処理する情報処理部と、情報を表示する表示デバイスを備える非接触ICカードデバイスであって、前記アンテナ近傍において発生する磁界変化を検出する検出手段と、前記検出手段による検出結果が予め定められた磁界変化の大きさに関する所定の条件を満たすか否かを判定する条件判定手段と、前記条件判定手段による判定結果に基づいて前記メモリの接続先を切り替える電子スイッチを制御し、前記検出結果が前記条件を満たすと判定された場合、前記電子スイッチを介して前記アンテナに接続されていた前記情報処理部を、前記アンテナから切り離させる切り替え制御手段と、前記切り替え制御手段の制御により前記情報処理部が前記アンテナから切り離された状態において、前記情報処理部を介して前記メモリに記憶されている情報を読み出して前記表示デバイスに表示させる表示制御手段とを備える非接触ICカードデバイスである。
【００１７】
本発明の第１の側面においては、磁界信号を受信する受信部近傍において発生する磁界変化が検出され、検出結果が予め定められた磁界変化の大きさに関する所定の条件を満たすか否かが判定され、検出結果が条件を満たすと判定された場合、受信部において受信された磁界信号に含まれる情報を処理して記憶部に記憶させるか、若しくは、記憶部から情報を読み出して処理する情報処理部が、受信部に代えて、情報処理部を介して記憶部に記憶されている情報を表示のために読み出す読み出し部に接続される。
【００１８】
本発明の第２の側面においては、アンテナ近傍において発生する磁界変化が検出され、検出結果が予め定められた磁界変化の大きさに関する所定の条件を満たすか否かが判定され、その判定結果に基づいてメモリの接続先を切り替える電子スイッチが制御され、検出結果が条件を満たすと判定された場合、電子スイッチを介してアンテナに接続されていた、アンテナを介して受信された磁界信号に含まれる情報を処理してメモリに記憶させるか、若しくは、メモリから情報を読み出して処理する情報処理部が、アンテナから切り離され、その状態において、情報処理部を介してメモリに記憶されている情報が読み出されて表示デバイスに表示される。
【発明の効果】
【００１９】
本発明によれば、消費電力の増大を抑制することができる。特に、表示機能付きデバイスにおいて、不要な表示内容更新処理による消費電力の増大を抑制することができる。
【発明を実施するための最良の形態】
【００２８】
以下、本発明の実施の形態について説明する。
【００２９】
図１は、本発明を適用した非接触ICカードの構成例を示す図である。
【００３０】
図１において、非接触ICカード１００は、集積回路（ICチップ）とアンテナを内蔵し、リーダライタ等の他のデバイスと近距離無線通信を行うカード型のデバイスであり、ICチップに保持される情報等を表示する表示機能も有する表示機能付き非接触ICカードである。この非接触ICカード２００は、小型で携帯性が良好であり、またICチップを用いているので信頼性も高く、例えばIDカード、クレジットカード、ポイントカード等のように、認証や決済を目的として利用される。
【００３１】
図１に示されるように、非接触ICカード１００は、非接触ICカード部１１１、電子スイッチ１１２、ループアンテナ１１３、磁界センサ１１４、表示制御部１１５、表示デバイス１１６、および電源供給部１１７を有する。
【００３２】
非接触ICカード部１１１は、所謂非接触ICカードとしての機能を実現するための制御処理や演算処理を行う処理部である。通常の場合、非接触ICカード部１１１は、カード内部に半導体集積回路（ICチップ）として設けられる。非接触ICカード部１１１は、記憶部としてのEEPROM（Electronically Erasable and Programmable Read Only Memory）１２１を内蔵しており、ループアンテナ１１３において受信した、リーダライタ１０１から送信された信号に含まれる情報をそのEEPROM１２１に記憶する。非接触ICカード部１１１は、また、リーダライタ１０１または表示制御部１１５からの要求に基づいて、EEPROM１２１に記憶されている情報を読み出して要求元に供給する。
【００３３】
電子スイッチ１１２は、非接触ICカード部１１１の信号入出力端子の接続先を切り替える切り替え手段として構成されるスイッチ回路である。電子スイッチ１１２は、一方の１端子を他方の２端子のうちいずれか一方に接続する３端子スイッチであり、非接触ICカード部１１１を、ループアンテナ１１３または表示制御部１１５のいずれか一方に接続する。この電子スイッチ１１２の動作は、表示制御部１１５に制御される。つまり、非接触ICカード部１１１の信号入出力端子の接続先は、表示制御部１１５の制御に基づいて切り替えられる。なお、非接触ICカード部１１１の信号入出力端子を少なくともループアンテナ１１３と表示制御部１１５に接続させることができるのであれば、電子スイッチ１１２は、どのようなスイッチを用いても良い。ただし、構成がより単純なもの程、回路規模も小さく、また、制御も容易になるので、コストを低減させることができる。
【００３４】
ループアンテナ１１３は、磁界信号を受信する受信部として構成される。ループアンテナ１１３は、非接触ICカード１００に近接されたリーダライタ１０１より送信される電磁波によるループの内側の磁界変化を磁界信号として検出し、受信する。ループアンテナ１１３は、受信した磁界信号を、電子スイッチ１１２を介して非接触ICカード部１１１に供給する。
【００３５】
磁界センサ１１４は、ループアンテナ１１３近傍において発生する磁界変化を検出する。磁界センサ１１４は、検出結果を表示制御部１１５に供給する。磁界センサ１１４は、どのようなものを用いるようにしてもよい。ただし、磁界センサ１１４は、リーダライタ１０１から送信される磁界信号の検出を目的としているので、磁界信号の受信能力、つまり、磁界変化の検出能力は、ループアンテナ１１３に近似または一致させるのが望ましい。
【００３６】
例えば、リーダライタ１０１から送信される磁界信号による磁界変化より小さい磁界変化を検出可能とすると、磁界センサ１１４の感度が高すぎてしまい、不要な磁界変化、つまり磁界信号によるものでない磁界変化も検出してしまう恐れがある。逆に、磁界センサ１１４の感度を低下させ、ループアンテナ１１３が磁界信号として受信する程度の磁界変化よりも大きな磁界変化しか検出することができないようにすると、磁界信号による磁界変化を検出できない恐れがある。従って、磁界センサ１１４の感度は、ループアンテナ１１３の感度に近似または一致させるのが望ましい。
【００３７】
また、磁界信号受信条件を禁じさせるために、磁界センサ１１４は、ループアンテナ１１３の近傍に設け、さらに、ループアンテナの構造と同様のものを使用するのが望ましい。例えば、ループアンテナ１１３に対して絶縁されて重畳されて配置された、ループアンテナ１１３と同一の形状のコイルを磁界センサ１１４として用いるようにしてもよい。
【００３８】
表示デバイス１１６は、LCD（Liquid Crystal Display）、有機ELディスプレイ（Organic ElectroLuminescence Display）、または電子ペーパ等の、文字や画像を表示可能な小型の表示デバイスにより構成される。この表示デバイス１１６は、どのようなものであってもよいが、カード型デバイスに搭載可能な程度に、小さく、薄く、かつ、軽量であることが望ましい。また、表示能力は、ある程度の情報量を表示可能な程度に高精細であることが望ましい。ただし、開発コスト、製造コスト、および消費電力等は低いほど望ましい。
【００３９】
電源供給部１１７は、非接触ICカード部１１１、電子スイッチ１１２、表示制御部１１５、および表示デバイス等、非接触ICカード１００に内蔵される各部に対し、必要に応じて電源供給を行う。
【００４０】
表示制御部１１５は、表示デバイス１１６への情報の表示を制御する処理部である。表示制御部１１５は、電子スイッチ１１２を介して非接触ICカード部１１１から、EEPROM１２１に記憶されている情報を取得し、その情報（若しくはその情報より作成された情報）を表示デバイス１１６に表示させる。
【００４１】
表示制御部１１５は、磁界センサ１１４より供給される磁界変化の検出結果に基づいて、電子スイッチ１１２を制御する。つまり、表示制御部１１５は、磁界センサ１１４より取得した検出結果が所定の条件を満たす場合、前記電子スイッチ１１２を制御して、非接触ICカード部１１１をループアンテナ１１３より切り離し、表示制御部１１５に接続させる。この制御により、非接触ICカード１００は、リーダライタ１０１と通信不可能になるが、表示制御部１１５は、非接触ICカード部１１１と接続されるので、非接触ICカード部１１１より情報を取得することができる。
【００４２】
逆に、磁界センサ１１４より取得した検出結果が所定の条件を満たさない場合、表示制御部１１５は、前記電子スイッチ１１２を制御して、非接触ICカード部１１１を表示制御部１１５より切り離し、ループアンテナ１１３に接続させる。この場合、非接触ICカード１００は、リーダライタ１０１と通信可能な状態となる。しかしながら、表示制御部１１５は、非接触ICカード部１１１との接続が切断されるので、非接触ICカード部１１１より情報を取得することができない。
【００４３】
また、表示制御部１１５は、保持部としてのEEPROM１２２を有している。表示制御部１１５は、非接触ICカード部１１１より取得した情報をEEPROM１２２に保持させることができる。これにより、表示制御部１１５は、非接触ICカード部１１１より取得した情報を任意のタイミングで表示デバイスに表示させることができる。
【００４４】
図２は、表示制御部１１５が有する機能を示す機能ブロック図である。図２に示されるように、表示制御部１１５は、条件判定部１３１、電子スイッチ制御部１３２、計時部１３３、情報読み出し部１３４、保持データ更新部１３５、および表示更新部１３６を有する。
【００４５】
条件判定部１３１は、磁界センサ１１４より供給される検出結果が予め定められた所定の条件を満たすか否かを判定する条件判定手段として構成される処理部である。この条件の内容は任意である。条件判定部１３１は、検出結果が条件を満たすと判定した場合、EEPROM１２１に記憶されている情報が更新されたと判定し、電子スイッチ制御部１３２を制御し、電子スイッチ１１２を動作させて非接触ICカード部１１１を表示制御部１１５に接続させるとともに、情報読み出し部１３４に、EEPROM１２１からの情報の読み出しを実行させる。
【００４６】
電子スイッチ制御部１３２は、条件判定部１３１による判定結果に基づいて非接触ICカード部１１１（すなわち、EEPROM１２１）の接続先を切り替える電子スイッチ１１２を制御する切り替え制御手段として構成される処理部である。条件判定部１３１によって、磁界センサ１１４の検出結果が所定の条件を満たしたと判定された場合、電子スイッチ制御部１３２は、電子スイッチ１１２を制御し、非接触ICカード部１１１の接続先をループアンテナ１１３から表示制御部１１５に切り替えさせる。つまり、電子スイッチ制御部１３２は、電子スイッチ１１２を切り替えることにより、非接触ICカード１００の動作モードを、非接触ICカードとして外部のリーダライタ１０１と通信を行い、リーダライタ１０１より供給された情報をEEPROM１２１に記憶する通常モードから、EEPROM１２１に記憶されている情報を読み出す読み出しモードに切り替える。
【００４７】
計時部１３３は、時間を計測する計時手段として構成される処理部である。計時部１３３は、電子スイッチ制御部１３２が電子スイッチ１１２を制御して非接触ICカード部１１１の接続先をループアンテナ１１３から表示制御部１１５に切り替えてからの時間を、所定の方法で計測し、予め定められた所定の時間が経過した時点で、電子スイッチ制御部１３２にその旨を通知する。その通知を受けた電子スイッチ制御部１３２は、電子スイッチ１１２を制御して非接触ICカード部１１１（EEPROM１２１）の接続先を、表示制御部１１５からループアンテナ１１３に切り替える。つまり、電子スイッチ制御部１３２は、非接触ICカード１００の動作モードを読み出しモードに切り替えてから所定の時間が経過した時点で、その動作モードを元の通常モードに戻す。
【００４８】
以上のように、電子スイッチ制御部１３２は、条件判定部１３１の判定結果、および、計時部１３３の計時結果に基づいて非接触ICカード１００の動作モードを切り替えることができる。つまり、ユーザ等による指示等、動作モードの切り替え（情報表示）に関する煩雑な作業が不要になり、非接触ICカード１００の利便性の低下が抑制される。
【００４９】
なお、計時部１３３の計時方法は任意である。例えば、所定の周期で振動する振動子を内蔵し、その振動子に基づいて計時を行うようにしてもよいし、外部から同期信号を取得し、その同期信号に基づいて計時を行うようにしてもよいし、その他の方法で計時を行うようにしてもよい。また、計時部１３３が計時する時間（読み出しモードの時間）も任意である。ただし、後述するように、情報読み出し部１３４はこの読み出しモードの間にEEPROM１２１より情報を読み出すので、読み出しモードの時間は、この情報の読み出しに要する時間に対して十分に長い時間であることが望ましい。ただし、読み出しモードの時間を長くすると、通常モードに復帰するまでの時間が長くなることになるので、不要に読み出しモードの時間を長くすると、非接触ICカードとしての利便性が低下する恐れがある。
【００５０】
情報読み出し部１３４は、電子スイッチ１１２により非接触ICカード部１１１が表示制御部１１５に接続されると、非接触ICカード部１１１に対してEEPROM１２１に保持されている情報の読み出しを要求する。この読み出し要求の方法は任意であり、専用の読み出し命令を設けてもよいが、例えば、リーダライタ１０１が非接触ICカード部１１１に対してEEPROM１２１に記憶されている情報を要求するときと同じ制御コマンドを用いるようにすると、非接触ICカード部１１１の開発が容易になる。
【００５１】
なお、情報読み出し部１３４がEEPROM１２１に記憶されている情報のうち、全てまたは任意の一部を要求することができるようにしてもよいし、特定の情報、または、特定のアドレスに記憶されている情報のみ要求することができるようにしてもよい。さらに、情報漏えいやデータ改ざん等の抑制のために、情報読み出し部１３４が情報の読み出しを要求する際に、所定のパスワードや認証ID等を必要とするようにしてもよい。
【００５２】
非接触ICカード部１１１は、情報読み出し部１３４より情報読み出し要求を取得すると、EEPROM１２１からその要求された情報を読み出し、情報読み出し部１３４に供給する。情報読み出し部１３４は、情報を取得すると、その情報を保持データ更新部１３５に供給する。
【００５３】
保持データ更新部１３５は、情報読み出し部１３４によりEEPROM１２１より読みだされた情報を用いてEEPROM１２２に保持されている情報を更新する。情報更新の方法は任意である。例えば、保持データ更新部１３５は、情報読み出し部１３４によりEEPROM１２１より読みだされた情報を、EEPROM１２２に保持されている情報に上書き、若しくは追加書き込みすることにより、EEPROM１２２に保持されている情報を更新する。また、例えば、保持データ更新部１３５が、情報読み出し部１３４によりEEPROM１２１より読みだされた情報と、EEPROM１２２に保持されている情報とを用いて所定の演算処理を行って新たな情報を生成し、その新たな情報をEEPROM１２２に保持させるようにしてもよい。
【００５４】
表示更新部１３６は、保持データ更新部１３５によりEEPROM１２２の情報が更新されるとEEPROM１２２より、その更新された情報を読み出し、その情報、若しくは、その情報から生成された他の情報を表示デバイス１１６に表示させる。つまり、表示更新部１３６は、EEPROM１２２が保持する情報が更新されると、その更新された情報を用いて、表示デバイス１１６の表示内容を更新する。これにより、表示デバイス１１６は、EEPROM１２２が保持する最新の情報を表示することができる。
【００５５】
以上のように、表示制御部１１５は、磁界センサ１１４の検出結果が予め定められた所定の条件を満たすか否かを判定する条件判定部１３１、条件判定部１３１による判定結果に基づいて非接触ICカード部１１１（EEPROM１２１）の接続先を切り替える電子スイッチ１１２を制御する電子スイッチ制御部１３２、および、EEPROM１２１に記憶されている情報を読み出す情報読み出し部１３４を備える。また、表示制御部１１５は、時間を計測する計時部１３３をさらに備えることができる。さらに、表示制御部１１５は、情報を保持するEEPROM１２２と、そのEEPROM１２２に保持されている情報を、情報読み出し部１３４によりEEPROM１２１から読み出された前記情報を用いて更新する保持データ更新部１３５を備えることができる。また、表示制御部１１５は、EEPROM１２２に保持されている情報を用いて、表示デバイス１１６により表示される情報を更新する表示更新部１３６をさらに備えることができる。
【００５６】
次に、図３を参照して、磁界センサ１１４の検出結果と電子スイッチ１１２の切り替えの関係について説明する。
【００５７】
図３の波形１５１は、条件判定部１３１が取得した磁界センサ１１４の検出結果の例を示している。磁界センサ１１４は、磁界の変化を「検知」と「非検知」の２値で表し、その値を検出結果として出力する。つまり、磁界センサ１１４は、磁界変化の大きさを所定の閾値と比較し、磁界変化の大きさがその閾値以上である場合（若しくは閾値より大きい場合）、磁界変化を検知したと判定し、「検知」を示す値を検出結果として条件判定部１３１に出力する。また、磁界変化の大きさが閾値より小さい場合（若しくは閾値以下である場合）、磁界変化を検知していないと判定し、「非検知」を示す値を検出結果として条件判定部１３１に出力する。なお、この閾値の値は任意である。ただし、磁界センサ１１４は、EEPROM１２１の情報が更新されたことを検出すること、つまり、ループアンテナ１１３がリーダライタ１０１から送信された信号を受信したことを検出することを目的とする構成である。従って、誤検出や検出漏れを抑制するために、閾値の値は、非接触ICカード部１１１において、ループアンテナ１１３において発生した磁界変化がリーダライタ１０１より送信された信号によるものであると判定するときの閾値の値と同程度であることが望ましい。
【００５８】
ループアンテナ１１３がリーダライタ１０１からの信号を受信すると、検出結果は「非検知」から「検知」に変わる。その後、非接触ICカード部１１１とリーダライタ１０１との間で通信が開始され、検出結果は「検知」の状態が継続する。EEPROM１２１の更新が終了し、通信が終了すると、ループアンテナ１１３の磁界変化が収まるので、検出結果は「検知」から「非検知」に戻る。
【００５９】
例えば、図３の例の場合、磁界センサ１１４の検出結果は、波形１５１のように、時刻ｔ１において「非検知」から「検知」に変化し、さらに、その後、時刻ｔ２において「非検知」に戻っている。条件判定部１３１は、このように、検出結果が「非検知」から「検知」へ変化し、さらに「非検知」に戻るように変化することを「所定の条件」とし、この条件が満たされたと判定した場合、EEPROM１２１の更新が行われ、そしてその更新が終了したと判定する。
【００６０】
条件判定部１３１が、条件が満たされたと判定すると、電子スイッチ制御部１３２は、電子スイッチ１１２を制御し、非接触ICカード部１１１の接続先をループアンテナ１１３から表示制御部１１５に切り替える。そして、情報読み出し部１３４は、情報の読み出しを開始し、計時部１３３は、時間の計測を開始する。そして所定の時間が経過すると、電子スイッチ制御部１３２は、再度、電子スイッチ１１２を制御し、非接触ICカード部１１１の接続先を表示制御部１１５からループアンテナ１１３に切り替える。
【００６１】
例えば、図３の例の場合、時刻ｔ２において条件が満たされると、電子スイッチ１１２は非接触ICカード部１１１の接続先を、波形１５２のように、時刻ｔ３においてループアンテナ１１３から表示制御部１１５に切り替える。その後、情報読み出し部１３４による情報の読み出しが行われ、計時部１３３が両矢印１６２により示される所定の時間を計測すると、電子スイッチ１１２は、時刻ｔ４において、非接触ICカード部１１１の接続先を表示制御部１１５からループアンテナ１１３に切り替える。
【００６２】
なお、条件判定部１３１は、このときさらに誤検出を抑制するために、「検知」状態の時間を計測し（例えば計時部１３３に計測してもらい）、「検知」状態が所定の時間以上継続した場合のみ「条件を満たす」と判定するようにしてもよい。例えば、図３の例の場合、時刻ｔ１から時刻ｔ２までの時間、つまり、両矢印１６１により示される時間が所定時間以上であることも「条件」に含めるようにしてもよい。
【００６３】
上述したように、リーダライタ１０１からの信号による磁界変化であれば、その後通信が行われるので、所定時間「検知」状態が継続する可能性が高い。このことを利用して、条件判定部１３１は、「検知」状態の時間を用いることにより、リーダライタ１０１からの信号以外の要因による瞬間的な磁界変化の誤検出を抑制することができる。
【００６４】
条件判定部１３１が判定する条件の内容は任意であり、上述した以外のものであってももちろんよい。例えば、磁界センサ１１４の検出結果を３値以上の多値とし、その検出結果で示されるループアンテナ１１３近傍に発生した磁界変化の波形を特定することができるようにし、その波形がリーダライタ１０１からの信号であるか否かを判定するようにしてもよい。
【００６５】
次に、図４のフローチャートを参照して、表示制御処理の流れの例を説明する。
【００６６】
表示制御処理が開始されると、表示制御部１１５の電子スイッチ制御部１３２は、ステップＳ１において、電子スイッチ１１２を制御し、非接触ICカード部１１１をループアンテナ１１３に接続させる。ステップＳ２において、表示制御部１１５は、表示制御処理を終了するか否かを判定し、終了しないと判定した場合、処理をステップＳ３に進める。ステップＳ３において、磁界センサ１１４は、ループアンテナ１１３近傍の磁界の変化を検出し、その検出結果を条件判定部１３１に供給する。
【００６７】
条件判定部１３１は、ステップＳ４において、その検出結果の判定を行い、ステップＳ５において、その検出結果について所定の条件が満たされたか否かを判定し、条件が満たされていないと判定した場合、処理をステップＳ１に戻し、それ以降の処理を繰り返させる。また、ステップＳ５において、検出結果が所定の条件を満たしたと判定した場合、条件判定部１３１は、処理をステップＳ６に進める。ステップＳ６において、電子スイッチ制御部１３２は、電子スイッチ１１２を制御し、非接触ICカード部１１１を表示制御部１１５に接続させる。
【００６８】
条件が満たされたと判定した後、条件判定部１３１は、ステップＳ７において、情報読み出し部１３４に、接続された非接触ICカード部１１１のEEPROM１２１から情報を読み出す、情報読み出し処理を開始させる。情報読み出し処理については後述する。
【００６９】
非接触ICカード部１１１の接続先が切り替えられると、計時部１３３は、ステップＳ８において計時を開始する。そして、ステップＳ９において、計時部１３３は、予め定められた所定の時間が経過したか否かを判定し、経過したと判定するまで待機する。所定の時間が経過したと判定した場合、計時部１３３は、処理をステップＳ１に戻し、それ以降の処理を繰り返される。つまり、電子スイッチ制御部１３２により電子スイッチ１１２が制御され、非接触ICカード部１１１の接続先がループアンテナ１１３に戻される。
【００７０】
以上のようにステップＳ１乃至ステップＳ９の処理が繰り返され、EEPROM１２１の情報が更新される度に、情報の読み出しが行われる。そして、ステップＳ２において表示制御処理を終了すると判定した場合、表示制御部１１５は、表示制御処理を終了する。
【００７１】
次に、図５のフローチャートを参照して、情報読み出し処理の流れの例を説明する。
【００７２】
図４のステップＳ７において、情報読み出し処理が開始されると、情報読み出し部１３４は、ステップＳ２１において、EEPROM１２１に記憶されている情報を要求する読み出しコマンドを、非接触ICカード部１１１に対して供給する。非接触ICカード部１１１は、その要求に応じてEEPROM１２１に記憶されている情報を読み出し、読み出しコマンドに対する応答として、その読み出した情報を表示制御部１１５に供給する。情報読み出し部１３４は、ステップＳ２２において、その読み出しコマンドに対する応答、すなわち、EEPROM１２１より読み出された情報を取得する。
【００７３】
保持データ更新部１３５は、ステップＳ２３において、情報読み出し部１３４が取得した情報、すなわち、EEPROM１２１より読み出された情報を用いて、EEPROM１２２に保持されている情報を更新する。ステップＳ２４において、表示更新部１３６は、更新したEEPROM１２２に保持されている情報を用いて、表示デバイス１１６の表示を更新する。ステップＳ２４の処理が終了すると、情報読み出し処理は終了される。
【００７４】
以上のように、表示制御部１１５は、磁界センサ１１４にループアンテナ１１３近傍の磁界変化を検出させ、その検出結果に基づいて、EEPROM１２１に記憶されている情報が更新されたか否かを判定し、情報が更新されたときのみ、電子スイッチ１１２を制御して非接触ICカード部１１１を表示制御部１１５に接続させ、EEPROM１２１に記憶されている情報を読み出す。このようにすることにより、表示制御部１１５は、非接触ICカード部１１１への不要なアクセスを抑制し、消費電力の増大を抑制することができる。特に、電池を用いて電源供給を行うようなデバイスの場合、電池の寿命を長くすることができ、電池交換作業、または、充電作業の間隔の長期化、および、作業回数の低減により、デバイスの利便性を向上させることができる。
【００７５】
また、非接触ICカード部１１１への不要なアクセスの抑制により、表示制御部１１５は、表示デバイス１１６の表示内容の不要な更新も抑制することができる。さらに、表示制御部１１５は、EEPROM１２１より読み出した情報をEEPROM１２２に保持し、そのEEPROM１２２に保持されている情報を用いて表示デバイス１１６の表示内容の更新を行うので、例えば、表示デバイス１１６が定期的に表示内容の更新が必要な場合であっても、非接触ICカード部１１１への不要なアクセスを抑制し、消費電力の増大を抑制することができる。
【００７６】
なお、非接触ICカード１００の構成は、上述した以外であってもよい。例えば、表示デバイス１１６として、電子ペーパのように表示内容を保持する機能を有するデバイスを用いる場合、表示制御部１１５のEEPROM１２２を省略しても、非接触ICカード部１１１への不要なアクセスを抑制し、消費電力の増大を抑制することができる。つまり、図１の場合よりも、表示制御部１１５のコストや消費電力を低減させることができる。
【００７７】
他にも、例えば、非接触ICカード部１１１として、現在普及している表示機能を有さない非接触ICカードに搭載されているICチップを用いるようにしてもよい。図６は、その場合の非接触ICカードの構成例を示すブロック図である。つまり、図６の例においては、非接触ICカード部１１１として、現在普及している表示機能を有さない非接触ICカードに搭載されているICチップを用いている。
【００７８】
この図６に示されるように、現在普及している非接触ICカードのICチップは、電源供給をリーダライタ１０１より供給される信号より行う。従って、電源供給部１１７は、非接触ICカード部１１１に電力を供給せず、表示制御部１１５および表示デバイス１１６にのみ電力を供給する。
【００７９】
ループアンテナ１１３は、コンデンサ２１１と並列に、両端子が、非接触ICカード部１１１の信号入出力端子であるCP端子と、クロック抽出端子であるCM端子に接続される。なお、CP端子へは、電子スイッチ１１２を介して接続される。非接触ICカード部１１１内部において、CP端子には、コンデンサ２０１、抵抗２０２、および抵抗２０３のそれぞれの一方の端子が接続されている。コンデンサ２０１および抵抗２０２の他方の端子は、それぞれ接地されている。抵抗２０３の他方の端子には、信号を整流するためのレギュレータ２０４が接続されている。レギュレータ２０４の他方の端子にはCPU等により構成されるICカード制御部２１０が接続される。
【００８０】
CP端子にはまたCP端子より入力された変調信号を復調する復調部２０７の入力端子と、抵抗２０６が接続される。復調部２０７の出力端子はICカード制御部２１０に接続される。抵抗２０６の他方の端子には、FET（Field Effect Transistor）２０５のドレインが接続される。FET２０５のソースは接地され、ゲートには、ICカード制御部２１０が接続される。
【００８１】
また、CM端子にはダイオード２０８とクロック抽出部２０９の入力端子が接続される。ダイオードの他方の端子は接地され、クロック抽出部２０９の出力端子はICカード制御部２１０に接続される。ICカード制御部２１０は、非接触ICカード１００が、非接触ICカードとしての機能を実現するための制御処理や演算処理を行う。ICカード制御部２１０は、EEPROM１２１を内蔵している。
【００８２】
このとき、ループアンテナ１１３と同様に、磁界センサ１１４には並列にコンデンサ２１２が設けられる。図６においては便宜上、ループアンテナ１１３と磁界センサ１１４を横に並べて示しているが、実際には、磁界センサ１１４は、ループアンテナ１１３と同一の形状を有しており、ループアンテナ１１３に重畳されて配置される。
【００８３】
以上のように、この図６の場合も、図１の場合と同様に、磁界センサ１１４によるループアンテナ１１３近傍の磁界変化の検出を利用して、不要な表示内容更新処理による消費電力の増大を抑制することができる。この図６の場合、非接触ICカード部１１１に電源供給部１１７より電力が供給されていないので、非接触ICカード部１１１にアクセスする際、表示制御部１１５は、非接触ICカード部１１１が電源電圧を生成可能な信号（ICリーダライタ１０１より送信される信号と同様の信号）を供給する必要がある。換言すれば、非接触ICカード部１１１への不要なアクセスを低減させることにより、非接触ICカード部１１１への電力供給がより低減されるので、消費電力の増大をさらに低減させることができる。さらに、現在普及している非接触ICカードのICチップを用いることにより、非接触ICカード１００の開発コストを低減させることができる。
【００８４】
以上の他にも、例えば、表示制御部１１５から非接触ICカード部１１１へのアクセス中に、リーダライタ１０１からのアクセスがあったときに、リーダライタ１０１からのアクセスを優先させるようにしてもよい。
【００８５】
EEPROM１２１の情報の表示は、ICカードとしての処理結果を表示させるためのものであるので、通常の場合、表示に多少の遅延が発生しても実用上問題は生じない。これに対して、リーダライタ１０１との通信は、非接触ICカード１００とリーダライタ１０１とが近接された状態においてのみ行われるが、通常の場合、この通信可能な状態（姿勢）の長時間の維持は困難であり、また、この通信処理時間の増大は、ユーザの作業時間の増大につながり、非接触ICカード１００の利便性の低下につながる恐れがある。つまり、非接触ICカード１００とリーダライタ１０１の通信は、即時性が求められる。
【００８６】
以上のように、EEPROM１２１が保持する情報の表示に対して、非接触ICカード１００とリーダライタ１０１の通信の方が、優先度が高い。従って、表示制御部１１５から非接触ICカード部１１１へのアクセス中に、リーダライタ１０１からのアクセスがあったときに、リーダライタ１０１からのアクセスを優先させることにより、非接触ICカードの利便性を向上させることができる。
【００８７】
図７にその場合の、表示制御部１１５が有する機能の例を示す。図７において、表示制御部１１５は、図２に示される構成の他に、さらに、磁界変化判定部２３１を有する。
【００８８】
磁界変化判定部２３１は、電子スイッチ制御部１３２が、電子スイッチ１１２を制御して、非接触ICカード部１１１を表示制御部１１５に接続されている間、磁界センサ１１４の検出結果を取得し、その検出結果に基づいて、ループアンテナ１１３近傍において磁界変化が発生したか否かを判定する。つまり、磁界変化判定部２３１は、磁界センサ１１４の検出結果が「非検知」から「検知」に変わるか否かを判定する。
【００８９】
検出結果が「検知」になったと判定した場合、磁界変化判定部２３１は、その旨を電子スイッチ制御部１３２に通知する。電子スイッチ制御部１３２は、この通知に基づいて、電子スイッチ１１２を制御し、計時部１３３による計時結果を受ける前に、非接触ICカード部１１１の接続先をループアンテナ１１３に戻させる。これにより、非接触ICカード部１１１は、リーダライタ１０１と通信を行うことができるようになる。
【００９０】
また、検出結果が「検知」になったと判定した場合、磁界変化判定部２３１は、さらに、情報読み出し部１３４、保持データ更新部１３５、および表示更新部１３６を制御し、図５のフローチャートを参照して説明した情報読み出し処理を終了させる。
【００９１】
このときの磁界センサ１１４の検出結果と、電子スイッチ１１２の切り替えの関係を、図８を参照して説明する。
【００９２】
図８に示される波形２５１のように、磁界センサ１１４の検出結果が時刻ｔ１において「非検知」から「検知」に変わり、時間２６１が経過後時刻ｔ２において、検出結果がさらに「検知」から「非検知」に変わると、条件判定部１３１が、EEPROM１２１の情報が更新されたと判定する。その判定結果に基づいて電子スイッチ制御部１３２が電子スイッチ１１２を制御し、波形２５２に示されるように時刻ｔ３において、非接触ICカード部１１１の接続先をループアンテナ１１３から表示制御部１１５に切り替える。このとき、情報読み出し部１３４により、EEPROM１２１に記憶されている情報の読み出しが開始される。
【００９３】
また、このとき、磁界変化判定部２３１は磁界センサ１１４の検出結果の観測を開始する。時刻ｔ４において、検出結果が「非検知」から「検知」に変わると、磁界変化判定部２３１は、磁界変化が発生したと判定する。電子スイッチ制御部１３２は、その判定結果に基づいて、電子スイッチ１１２を制御し、時刻ｔ３から時間２６２が経過した時刻ｔ５において、非接触ICカード部１１１の接続先を表示制御部１１５からループアンテナ１１３に切り替える。また、このとき、情報読み出し処理が強制終了されるとともに、非接触ICカード部１１１とリーダライタ１０１との通信が開始される。
【００９４】
そして時刻ｔ４から時間２６３が経過した時刻ｔ６において、リーダライタ１０１と非接触ICカード部１１１との通信が終了されると、磁界センサ１１４の検出結果は、「検知」から「非検知」に変わる。この変化により、条件判定部１３１は、時刻ｔ４における変化と時刻ｔ６における変化により、再度条件が満たされたと判定する。この判定結果に基づいて、電子スイッチ制御部１３２は、時刻ｔ７において、電子スイッチ１１２を制御し、非接触ICカード部１１１の接続先をループアンテナ１１３から表示制御部１１５に切り替える。
【００９５】
このとき、情報読み出し部１３４により、EEPROM１２１に記憶されている情報の読み出しが再度開始され、さらに、磁界変化判定部２３１により、磁界センサ１１４の検出結果の観測が再度開始される。この後、磁界変化判定部２３１により、磁界変化の発生が検出されず、時間２６４が経過すると、計時部１３３は、所定の時間が経過したことを電子スイッチ制御部１３２に通知する。電子スイッチ制御部１３２は、この通知に基づいて、時刻ｔ８において、非接触ICカード部１１１の接続先を表示制御部１１５からループアンテナ１１３に切り替える。
【００９６】
このときの表示制御処理の流れの例を図９のフローチャートを参照して説明する。
【００９７】
図９に示されるように、表示制御部１１５の各部および磁界センサ１１４は、ステップＳ４１乃至ステップＳ４９の各処理を、図４のステップＳ１乃至ステップＳ９の各処理と同様に行う。
【００９８】
そして、ステップＳ４９において、所定の時間が経過していないと判定した場合、計時部１３３は、処理をステップＳ５０に進める。ステップＳ５０において、磁界変化判定部２３１は、磁界の変化を検出したか否かを判定し、検出していないと判定した場合、処理をステップＳ４９に戻し、それ以降の処理を繰り返す。
【００９９】
また、ステップＳ５０において、磁界の変化を検出したと判定した場合、磁界変化判定部２３１は、処理をステップＳ５１に進め、情報読み出し部１３４、保持データ更新部１３５、および表示更新部１３６を制御して、情報読み出し処理を強制的に終了させる。ステップＳ５１の処理を終了すると、磁界変化判定部２３１は、処理をステップＳ４１に戻し、それ以降の処理を繰り返させる。つまり、電子スイッチ制御部１３２は、電子スイッチ１１２を制御して、非接触ICカード部１１１を再度ループアンテナ１１３に接続させる（ステップＳ４１）。
【０１００】
以上のようにすることにより、表示制御部１１５は、EEPROM１２１に記憶されている情報の表示よりも、リーダライタ１０１との通信を優先させるようにすることができ、非接触ICカード１００の利便性を向上させることができる。
【０１０１】
以上においては、非接触ICカード１００について説明したが、本発明は、非接触ICカード以外にも適用可能である。図１０にその一例を示す。図１０において、非接触通信デバイス３００は、他のデバイスであるリーダライタ１０１と非接触に通信を行うデバイスである。非接触通信デバイス３００は、そのリーダライタ１０１との通信によってデータを更新するデータ更新部３０１、更新されたデータを保持するデータ保持部３０２、リーダライタ１０１から送信される磁界信号を検知する磁界センサ部３０３、および磁界センサ部３０３の検出結果に基づいて、リーダライタ１０１から送信された磁界信号によってデータ保持部３０２に保持されている情報が更新された時のみ、データ保持部３０２よりその情報を読み出すデータ読み取り部３０４を有する。
【０１０２】
このような機能を有することにより、非接触通信デバイス３００は、不要な情報読み出しによる消費電力の増大を抑制することができる。なお、読み出した情報は、表示の更新以外に利用するようにしてもよい。
【０１０３】
本発明は、このような各機能を有するデバイスであれば、どのようなデバイスでも適用することができる。
【０１０４】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータ、または、複数の装置よりなる情報処理システムの情報処理装置などに、プログラム記録媒体からインストールされる。
【０１０５】
この記録媒体は、装置本体とは別に、ユーザにプログラムを配信するために配布される、プログラムが記録されている磁気ディスク（フレキシブルディスクを含む）、光ディスク（CD-ROM(Compact Disc-Read Only Memory),DVD(Digital Versatile Disc)を含む）、光磁気ディスク（MD（Mini-Disc）（登録商標）を含む）、もしくは半導体メモリなどよりなるリムーバブルメディアにより構成されるだけでなく、装置本体に予め組み込まれた状態でユーザに配信される、プログラムが記録されているEEPROM１２１やEEPROM１２２などで構成される。
【０１０６】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１０７】
なお、以上において、１つの装置として説明した構成を分割し、複数の装置として構成するようにしてもよい。逆に、以上において複数の装置として説明した構成をまとめて１つの装置として構成されるようにしてもよい。また、各装置の構成に上述した以外の構成を付加するようにしてももちろんよい。さらに、システム全体としての構成や動作が実質的に同じであれば、ある装置の構成の一部を他の装置の構成に含めるようにしてもよい。つまり、本発明の実施の形態は、上述した実施の形態に限定されるものではなく、本発明の要旨を逸脱しない範囲において種々の変更が可能である。
【図面の簡単な説明】
【０１０８】
【図１】本発明を適用した非接触ICカードの構成例を示すブロック図である。
【図２】図１の表示制御部１１５が有する機能の例を示す機能ブロック図である。
【図３】磁界センサ１１４の検出結果と電子スイッチ１１２の切り替えの関係の例について説明する図である。
【図４】表示制御処理の流れの例を説明するフローチャートである。
【図５】情報読み出し処理の流れの例を説明するフローチャートである。
【図６】本発明を適用した非接触ICカードの他の構成例を示すブロック図である。
【図７】図１の表示制御部１１５が有する機能の他の例を示す機能ブロック図である。
【図８】磁界センサ１１４の検出結果と電子スイッチ１１２の切り替えの関係の他の例について説明する図である。
【図９】表示制御処理の流れの、他の例を説明するフローチャートである。
【図１０】本発明を適用した非接触通信デバイスの構成例を示すブロック図である。
【符号の説明】
【０１０９】
１００  非接触ICカード，  １１１  非接触ICカード部，  １１２  電子スイッチ，  １１３  ループアンテナ，  １１４  磁界センサ，  １１５  表示制御部，  １１６  表示デバイス，  １１７  電源供給部，  １２１  EEPROM，  １２２  EEPROM，  １３１  条件判定部，  １３２  電子スイッチ制御部，  １３３  計時部，  １３４  情報読み出し部，  １３５  保持データ更新部，  １３６  表示更新部，  ２３１  磁界変化判定部
【図１】
0004437560.tif 000002
【図２】
0004437560.tif 000003
【図３】
0004437560.tif 000004
【図４】
0004437560.tif 000005
【図５】
0004437560.tif 000006
【図６】
0004437560.tif 000007
【図７】
0004437560.tif 000008
【図８】
0004437560.tif 000009
【図９】
0004437560.tif 000010
【図１０】
0004437560.tif 000011